(57)【特許請求の範囲】
【請求項１】
複数の前後方向の縦杆及び左右方向の横杆を組み合わせて形成した載置面部及び奥受面部とを、折り畳み自在に連結すると共に、連結部分と反対側における両側の縦杆の端縁箇所を折曲して前方掛け止め部及び後方掛け止め部を設け、少なくとも両部の一方の側縁にボトル移動抑止用の突部を設けてなるボトルラック。
【請求項２】
奥受面部の横杆を矩形枠に形成すると共に、両端の縦杆外方に突出する部分を折曲起立せしめてボトル移動抑止用の抑止用突部としてなる請求項１記載のボトルラック。
【請求項３】
棚の横面部分となる横枠と、対面する横枠間の前後端位置で着脱自在として連結する棚杆と、請求項１又は２記載のボトルラックとで構成したボトル収納棚。
【発明の詳細な説明】
【０００１】
【産業上の利用分野】
本発明は、台所内の種々のキャビネット内において、棚形成のための前後端に横枠を備えているものに使用するボトルラック並びに、キャビネットを使用しない場合には、独自の棚枠と組み合わせて使用するボトル収容棚に関するものである。
【０００２】
【従来技術及び発明が解決しようとする課題】
ワイン等のガラスボトルや、清涼飲料等の市販のためのペットボトル等をキッチンなどで整然と保管するための器具としては、実開平２−１３６５４０号公報に、上部開放のボックス状にして一端面にボトルの首部が載置される凹部を設け、引き出し状に多段に収納する収納構造体（ラック体）が開示されている。また特許第２８３６０４８号公報には、上部開口のボックス体の前端或いは前後端に、水平に懸架した横杆に掛け止めして傾斜保持可能とした掛け止め部を設けたラック体が開示されている。
【０００３】
前記の従前のボトルラック（ラック体）は、一本単位毎の収納を考慮したものであって、多数本の収納に際しては、相応の数のラックを用意する必要がある。そしてこれらの複数のラックを運搬する場合には非常に嵩高となり、包装や輸送において経費高になると共に、その取り扱いも不便である。
【０００４】
また各ラック体は、その容積が特定しているため、大きいボトルの収納に制限があり、また小さいボトルは不安定な状態で収納されることになる。
【０００５】
そこで本発明は、収納運搬に便利な新規なボトルラック及びボトル収納棚を提案したものである。
【０００６】
【課題を解決する手段】
本発明に係るボトルラックは、複数の前後方向の縦杆及び左右方向の横杆を組み合わせて形成した載置面部及び奥受面部とを、折り畳み自在に連結すると共に、連結部分と反対側における縦杆の端縁箇所を折曲して前方掛け止め部及び後方掛け止め部を設け、少なくとも両部の一方の側縁にボトル移動抑止用の突部を設けてなることを特徴としたものである。
【０００７】
またボトル収容棚は、前記ラックと棚枠体とで構成したもので、棚枠体は、棚の横面部分となる横枠と、対面する横枠間の前後端位置で着脱自在として連結する棚杆とで構成されるものである。
【０００８】
従って横枠の前後端に棚杆を懸架して棚枠体を形成し、前後棚杆間に、ラック体を載置面が奥方に傾斜し、奥受面部を起立状態として吊り下げ装着すると、ボトルの収納が可能である。勿論棚枠体を使用しないで、既存のキャビネットなどにラック体を吊り下げ装着しても、ボトル収納に使用できる。
【０００９】
【実施の形態】
次に本発明の実施形態について説明する。実施形態は、ラック体Ａと、棚枠体Ｂで構成されるラック収納棚について示した。
【００１０】
ラック体Ａは、線材を折曲して形成したもので、載置面部１、奥受面部２、前方掛け止め部３、後方掛け止め部４と、抑止用突部５とを備えてなる。
【００１１】
載置面部１は、前後方向の縦杆（縦杆部）１１と、左右方向の横杆（横杆部）１２とで形成されるが、特に横杆１２は前後端近傍に配置し、横杆１２間に複数の縦杆１１を架設してなり、特に両側の縦杆１１の先端は折り曲げて前方掛け止め部３とし、両側縦杆１１の後端は、後述する奥受面部２の下横杆２１に巻装連結して、前記下横杆２１を中心軸として折り畳み回動可能としてなる。
【００１２】
奥受面部２は、下横杆２１の両側方を立ち上げて縦杆２２とし、両側縦杆２２間に、複数の横受杆２３を架設してなり、特に横受杆２３は、矩形枠として、縦杆２２の外方に突出する部分を折曲起立せしめて抑止用突部５に形成し、更に縦杆２２の上端は、折曲して後方掛け止め部４に形成したものである。
【００１３】
棚枠体Ｂは、横枠６と、棚杆７と、止着ボルト８とで構成され、横枠６は、矩形枠状にして、必要に応じて適宜な補強杆を枠内に架設してなり、前後杆部に適宜間隔でボルト用透孔６１を設けてなる。棚杆７は、前記ラック体Ａの幅以上の長さとしたもので、両端面に螺孔７１を設けてなる。
【００１４】
而して左右に配置して対面させた横杆６に、適宜な位置の透孔６１を選択して棚杆７を差し渡し、止着ボルト８で横杆６と棚杆７を連結して、前後適宜高さに複数の棚杆７を備えた棚枠体Ｂを組み立てる。
【００１５】
次にラック体Ａを、載置面部１が奥方への下がり傾斜となり、奥受面部２が起立状態となる形態で、前後の各掛け止め部３，４を棚杆７に吊り下げ装着するものである。特に棚杆７を上下適宜な間隔で多段に架設すると、ラック体Ａも多段に組み込むことができる。
【００１６】
そしてラック体Ａの載置面部１上に、収納対象のボトルＣを、前後方向に倒伏させた状態で載置して収納するもので、載置面部１が奥方に下がり傾斜して、ボトルＣの底面が奥受面部２に当接するので、安定良く収納できる。特にラック体Ａの載置面部１を、主として縦杆１１で構成することで、ボトルＣの周面が縦杆１１の間にはまり込むように位置することになり、収納したボトルＣの大小に関わらず、横移動が阻止され、安定良く収納できる。また抑止用突部５によって、前記の棚枠体Ｂの幅とラック体Ａの幅が一致しなくとも、ボトルＣがラック体Ａの側方から落下することもない。
【００１７】
尚本発明は、前記ラック体において各部の具体的構造は、線材で形成するものであれば縦杆並びに横杆の組み合わせ構造や、折り畳み可能構造は任意に定めることができる。更に載置面部及び奥受面部の一方又は双方を、線材を使用しないで、縦杆の機能を具備するように縦長透孔を備える等の適宜な抜き形状を採用した網状板で形成しても良い。またラック体における抑止用突部も、線材また網状板で形成する場合に関わらず、奥受面部でなく、載置面部の側縁に形成しても良い。
【００１８】
本発明は必ずしも棚枠体を備える必要はなく、ラック体単独でも良く、既存の収納棚において、特に前後に棚杆を備えたものであれば、前後間隔に多少の変動があっても、そのまま装着して使用できる。更に棚枠体においても横枠と棚杆の連結構造も、前記ボルト止着に限定されるものではなく、他の手段を採用しても良い。
【００１９】
【発明の効果】
以上のとおり本発明は、線材等で形成した載置面部及び奥受面部とを、折り畳み自在に連結すると共に、連結部分と反対側の両部の端縁箇所に折曲形状に形成した掛け止め部を設けたラック体で、全体が軽量で、且つ折り畳み可能であるから、包装や輸送に便利であり、また単一器具への複数本の収納も可能である。また特に横枠と棚杆とで形成される棚枠体との組み合わせで、容易にボトル収納棚を形成でき、而も前記棚枠体も簡単に組立構造を採用することができ、ラック体と共に梱包輸送が容易となる。
【図面の簡単な説明】
【図１】本発明のラック体の斜視図（使用状態）。
【図２】同図（折り畳みの状態）。
【図３】同棚枠体の分解斜視図。
【図４】同棚枠体にラック体を組み込んだ斜視図。
【図５】同使用状態の説明図。
【符号の説明】
Ａ      ラック体
１      載置面部
１１    縦杆
１２    横杆
２      奥受面部
２１    下横杆
２２    縦杆
２３    横受杆
３      前方掛け止め部
４      後方掛け止め部
５      抑止用突部
Ｂ      棚枠体
６      横枠
６１    ボルト用透孔
７      棚杆
７１    螺孔
８      止着ボルト
【図１】
0003732968.tif 000002
【図２】
0003732968.tif 000003
【図３】
0003732968.tif 000004
【図４】
0003732968.tif 000005
【図５】
0003732968.tif 000006